(57)【要約】【課題】操作者に浴室用制御装置のより詳しい状態、つまり接続されているかどうか表示することができる貯湯式給湯機を提供すること。【解決手段】本発明の貯湯式給湯機は、湯水を貯える貯湯タンク１と、貯湯タンク１内の湯水を沸き上げる熱源機２と、表示部１２（２２）を有する制御装置とを備え、表示部１２（２２）には、浴槽へ接続されているかどうかを確認することができる構成としたことにより、浴槽への接続に異常があるかどうかを判断することができる。【選択図】図１
2011257028.tif 000002
【特許請求の範囲】
【請求項１】
湯水を貯える貯湯タンクと、前記貯湯タンク内の湯水を沸き上げる熱源機と、表示部を有する制御装置とを備え、前記表示部には、浴槽へ接続されているかどうかを確認することができる構成としたことを特徴とする貯湯式給湯機。
【発明の詳細な説明】
【技術分野】
【０００１】
本発明は、貯湯タンクと熱源機と制御装置を有した貯湯式給湯機に関するものである。
【背景技術】
【０００２】
従来、この種の給湯機制御装置は、台所用制御装置の表示部に浴室用制御装置の状態を表示するために、例えば「バスタブ」の絵を用い、浴室用制御装置が操作可能な場合は「バスタブ」の絵を点灯、操作不可能な場合は「バスタブ」の絵を消灯させるという手段を取っている（例えば、特許文献１参照）。
【先行技術文献】
【特許文献】
【０００３】
【特許文献１】特開平５−２８８４０２号公報
【発明の概要】
【発明が解決しようとする課題】
【０００４】
しかしながら、前記従来の構成では、台所用制御装置の表示部に、浴室用制御装置の状態を表示するのに、「バスタブ」の絵を点灯させる、或いは消灯させるだけであるので、浴室用制御装置を接続したつもりであっても断線、通信障害などで認識されずに消灯している場合なのか、浴室用制御装置の「表示入／切」スイッチによって表示が切られて消灯している場合なのかの区別がつかないという課題を有していた。
【０００５】
本発明は、前記従来の課題を解決するもので、台所用制御装置の表示部に浴室用制御装置の状態を表示するのに、浴室用制御装置を接続したつもりであっても断線、通信障害などで認識されずに消灯している場合なのか、浴室用制御装置の「表示入／切」スイッチによって表示が切られて消灯している場合なのかを判断し、それによって表示状態を変えることによって、操作者に浴室用制御装置のより詳しい状態を表示することができる貯湯式給湯機を提供することを目的とする。
【課題を解決するための手段】
【０００６】
前記従来の課題を解決するために、本発明の貯湯式給湯機は、湯水を貯える貯湯タンクと、貯湯タンク内の湯水を沸き上げる熱源機と、表示部を有する制御装置とを備え、表示部には、浴槽へ接続されているかどうかを確認することができる構成としたことにより、浴槽への接続に異常があるかどうかを判断することができる。
【発明の効果】
【０００７】
本発明は、操作者に浴室用制御装置のより詳しい状態を提供できる貯湯式給湯機を提供することができる。
【図面の簡単な説明】
【０００８】
【図１】実施の形態１における貯湯式給湯機の構成図
【図２】同実施の形態１における接続制御装置管理の制御フローチャート
【図３】同実施の形態１における表示部への表示例を示す図
【図４】同実施の形態１における表示部への表示例を示す図
【発明を実施するための形態】
【０００９】
第１の発明の貯湯式給湯機は、湯水を貯える貯湯タンクと、貯湯タンク内の湯水を沸き上げる熱源機と、表示部を有する制御装置とを備え、表示部には、浴槽へ接続されている
かどうかを確認することができる構成としたことにより、浴槽への接続に異常があるかどうかを判断することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における貯湯式給湯機制御装置を示すものである。図１において、湯水を貯える貯湯タンク１、貯湯タンク１内の湯水を沸き上げる熱源機２、制御基板３、浴室用制御装置１０、台所用制御装置２０、信号線１１、２１、表示部１２、表示部２２を有している。以上のように構成された貯湯式給湯機について、以下その動作、作用を説明する。
【００１２】
まず、貯湯タンクに貯えられた湯水は、熱源機によって沸き上げられる。貯湯タンク１内に設けられた制御基板３には信号線１１、２１を介して台所用制御装置２０と、浴室用制御装置１０が接続される。
【００１３】
そして操作者は各制御装置を操作することで、蛇口から出湯される湯温を所望の温度に設定したり、「湯張り」スイッチを操作することでお風呂への湯張りを指示したりすることができる。
【００１４】
また、各々の表示部には現在の貯湯タンク内のお湯の量、蛇口からの出湯温度、お湯張りの温度などを表示することができ、台所用制御装置の表示部に浴室用制御装置の状態を表示することで、現在の接続状態を提示することができる。
【００１５】
図２は、実施の形態１における制御フローチャートである。
【００１６】
（ステップ１）台所用制御装置に対し、接続確認用電文を送信する。台所用制御装置から応答電文が返信されればステップ２へ進み、返信がなければステップ３へ進む。
【００１７】
（ステップ２）台所用制御装置から応答電文があった場合、接続されていると認識し、接続情報に台所用制御装置を登録する。次にステップ３へ進む。
【００１８】
（ステップ３）浴室用制御装置に対し、接続確認用電文を送信する。浴室用制御装置から応答電文が返信されればステップ４へ進み、返信がなければステップ５へ進む。
【００１９】
（ステップ４）浴室用制御装置から応答電文があった場合、接続されていると認識し、接続情報に浴室用制御装置を登録する。次にステップ５へ進む。
【００２０】
（ステップ５）上記ステップを経て作製した登録情報を台所用制御装置へ送信する。
以上のように制御することで、実際に断線や、通信障害が無く接続されている制御装置を認識することができる。なお、本制御は電源投入時に行う以外に、メインループ毎に実施することでより正確な接続情報を得ることが出来る。
【００２１】
また、図３、図４は、実施の形態１における台所用制御装置の表示例である。図３は接続情報によって、浴室用制御装置が接続されていると認識した場合の表示例である。
【００２２】
浴室用を意図する「バスタブ」を表示し、その絵の内には設定されている「ふろ温度」を表示し、正常に動作していることを示す。図４は接続情報によって、浴室用制御装置が接続されていると認識し、浴室用制御装置の「表示入／切」スイッチによって表示が切ら
れて消灯している場合の表示例である。また、浴室用を意図する「バスタブ」を表示し、その絵の内には表示が切れていることを示す「ＯＦＦ」を表示し、消灯していることを示す。接続情報によって、浴室制御装置が接続されていないと認識した場合、浴室用を意図する「バスタブ」を表示しないことで、接続されていないことを示す。
【００２３】
以上のように表示することで、浴室用制御装置を接続したつもりであっても断線、通信障害などで認識されずに消灯している場合なのか、浴室用制御装置の「表示入／切」スイッチによって表示が切られて消灯している場合なのかを示すことができる。
【産業上の利用可能性】
【００２４】
以上のように、本発明に係る貯湯式給湯機は、ヒートポンプ給湯機や電気温水器などに適用することができる。
【符号の説明】
【００２５】
１  貯湯タンク
２  熱源機
３  制御基板
３１  接続状態管理部
１０  浴室用制御装置
２０  台所用制御装置
１１  信号線
２１  信号線
１２  表示部
２２  表示部
【図１】
2011257028.tif 000003
【図２】
2011257028.tif 000004
【図３】
2011257028.tif 000005
【図４】
2011257028.tif 000006